(57)【要約】【課題】風が吹いても騒音が発生しにくく、強風等によっても損傷しにくい折り畳み式パネルユニットを提供する。【解決手段】上下に配置され互いに回動自在に連結された複数のパネル体の上部が、屋内外を連通する開口の上部に回動自在に支持され、下部が引き上げられて前記複数のパネル体が折り畳まれつつ屋外側に突出して庇をなす折り畳み式パネルユニットであって、各々の前記パネル体は、回動して前記パネル体の領域内を開閉可能な複数のルーバー羽根を有し、前記複数のパネル体が前記庇をなしているときに、前記ルーバー羽根が前記パネル体の領域内を閉塞していない。【選択図】図５
2014051841.tif 000002
【特許請求の範囲】
【請求項１】
上下に配置され互いに回動自在に連結された複数のパネル体の上部が、屋内外を連通する開口の上部に回動自在に支持され、下部が引き上げられて前記複数のパネル体が折り畳まれつつ屋外側に突出して庇をなす折り畳み式パネルユニットであって、
各々の前記パネル体は、回動して前記パネル体の領域内を開閉可能な複数のルーバー羽根を有し、
前記複数のパネル体が前記庇をなしているときに、前記ルーバー羽根が前記パネル体の領域内を閉塞していないことを特徴とする折り畳み式パネルユニット。
【請求項２】
請求項１に記載の折り畳み式パネルユニットであって、
前記複数のパネル体の前記下部が下げられて前記開口を閉じている状態では、前記複数のルーバー羽根は前記パネル体の領域内を閉塞していることを特徴とする折り畳み式パネルユニット。
【請求項３】
請求項１または請求項２に記載の折り畳み式パネルユニットであって、
前記ルーバー羽根は、前記パネル体の領域内を開放する方向に付勢する付勢部材が規制されて、前記パネル体の領域内を閉塞しており、
前記開口が開かれるときに、前記付勢部材の規制が解除されて前記ルーバー羽根が開放されることを特徴とする折り畳み式パネルユニット。
【請求項４】
請求項１乃至請求項３のいずれかに記載の折り畳み式パネルユニットであって、
前記庇の状態から前記下部を降下させたときに前記複数のパネル体が展張された前記開口が閉じた状態で前記下部の降下を停止させるストッパーと、前記パネル体の前記下部を上下方向に移動させる駆動部と、前記駆動部の動力を前記下部に伝達する伝達部と、前記伝達部と前記下部とを繋ぐ中継部と、を備え、
前記中継部は、前記伝達部と前記下部とを、上下方向における所定の範囲にて相対移動可能に中継しており、
前記下部の降下が停止した後に、前記伝達部が前記中継部に対して下方に相対移動することにより、前記ルーバー羽根が回動し始め、前記伝達部が前記所定の範囲内を移動する間に前記ルーバー羽根が前記パネル体の領域内を閉塞することを特徴とする折り畳み式パネルユニット。
【請求項５】
請求項１乃至請求項４のいずれかに記載の折り畳み式パネルユニットであって、
前記複数のパネル体が展張された前記開口を閉じた状態にて、前記複数のパネル体の見込み方向における振れを防止する振れ防止部材を有していることを特徴とする折り畳み式パネルユニット。
【請求項６】
請求項４または請求項５に記載の折り畳み式パネルユニットであって、
前記パネル体は、前記動力にて前記ルーバー羽根を回動させるために前記動力を伝達する動力伝達機構を有し、
前記開口を形成する枠体は、前記伝達部の昇降動作と連動し、前記ルーバー羽根の開放方向への回動を許容する回動許容位置と、前記ルーバー羽根の開放方向への移動を規制する回動規制位置とを移動する回動規制部を有し、
前記下部の降下が停止したときに前記動力伝達機構の一部が、前記回動規制部が移動する軌道上に位置し、前記伝達部を更に降下させることにより、前記回動規制部が移動して前記動力伝達機構の一部に当接されて、前記ルーバー羽根の回動が規制されることを特徴とする折り畳み式パネルユニット。
【請求項７】
請求項１乃至請求項６のいずれかに記載の折り畳み式パネルユニットであって、
前記ルーバー羽根の開放角度を規制する角度規制部を有することを特徴とする折り畳み式パネルユニット。
【発明の詳細な説明】
【技術分野】
【０００１】
本発明は、互いに回動自在に連結された複数のパネル体が折り畳まれつつ屋外側に突出して庇をなす折り畳み式パネルユニットに関する。
【背景技術】
【０００２】
互いに回動自在に連結された複数のパネル体が折り畳まれつつ屋外側に突出して庇をなす折り畳み式パネルユニットの中には、例えば、上下に等間隔に並べた複数枚の羽根が、中間にて屈折可能な棒状体にて回動自在に連結され、各羽根の端面近傍の同一箇所を、中間にて屈折可能なロッドにて連結され、折り畳まれた際に庇となるような折りたたみブラインドがある（例えば、特許文献１参照）。このような、折りたたみブラインドは、各羽根の見込み方向における両端部に角度が設けられており、折り畳まれた際、すなわち庇として機能する際には、雨が漏ることがないように互いに隣り合う羽根同士が接触するように構成されている。
【先行技術文献】
【特許文献】
【０００３】
【特許文献１】実公平７−５９８６７号公報
【発明の概要】
【発明が解決しようとする課題】
【０００４】
上記のような折りたたみブラインドは、折り畳まれた際に互いに隣り合う羽根同士が接触している。このため、風が吹いた際には、各羽根が風により振動して羽根同士が接触しあって音が発生するおそれがある。また、雨が漏ることがないように隣り合う羽根同士が接触しているので通気性が悪く、強い風が吹いた際には、庇状をなしている折りたたみブラインドが煽られて、折りたたみブラインドや取り付けられている建物等を損傷するおそれがあるという課題がある。
【０００５】
本発明は、かかる課題に鑑みてなされたものであり、その目的とするところは、風が吹いても騒音が発生しにくく、強風等によっても損傷しにくい折り畳み式パネルユニットを提供することにある。
【課題を解決するための手段】
【０００６】
かかる目的を達成するために本発明の折り畳み式パネルユニットは、上下に配置され互いに回動自在に連結された複数のパネル体の上部が、屋内外を連通する開口の上部に回動自在に支持され、下部が引き上げられて前記複数のパネル体が折り畳まれつつ屋外側に突出して庇をなす折り畳み式パネルユニットであって、各々の前記パネル体は、回動して前記パネル体の領域内を開閉可能な複数のルーバー羽根を有し、前記複数のパネル体が前記庇をなしているときに、前記ルーバー羽根が前記パネル体の領域内を閉塞していないことを特徴とする折り畳み式パネルユニットである。
【０００７】
このような、折り畳み式パネルユニットによれば、複数のパネル体が折り畳まれ屋外側に突出して庇をなす際には、ルーバー羽根がパネル体の領域内を閉塞していないので、風が吹いてもルーバー羽根同士は接触し難い。また、強風が吹いた場合であっても、パネル体の領域内を閉塞していないルーバー羽根間を風が抜けていくので、折り畳まれたパネル体は煽られ難い。このため、風が吹いても騒音が発生しにくく、強風等によっても損傷しにくい折り畳み式パネルユニットを提供することが可能である。ここで、屋内外を連通する開口とは、例えば、建物の外壁に形成された開口部や、建具が有する枠体にて形成される開口部を示している。また、ルーバー羽根がパネル体の領域内を閉塞していないという状態は、パネル体の領域内が開放さている状態、より具体的には、隣り合うルーバー羽根が接触していない状態、すなわち、隣り合うルーバー羽根間が空隙をなしている状態を示している。
【０００８】
かかる折り畳み式パネルユニットであって、前記複数のパネル体の前記下部が下げられて前記開口を閉じている状態では、前記複数のルーバー羽根は前記パネル体の領域内を閉塞していることが望ましい。
【０００９】
このような折り畳み式パネルユニットによれば、複数のパネル体の下部が下げられて開口を閉じている状態では、ルーバー羽根がパネル体の領域内を閉塞しているので、屋外からの視界をさえぎるとともに、防犯性及び断熱性を備えることが可能である。
【００１０】
かかる折り畳み式パネルユニットであって、前記ルーバー羽根は、前記パネル体の領域内を開放する方向に付勢する付勢部材が規制されて、前記パネル体の領域内を閉塞しており、前記開口が開かれるときに、前記付勢部材の規制が解除されて前記ルーバー羽根が開放されることが望ましい。
【００１１】
このような折り畳み式パネルユニットによれば、パネル体の領域内を閉塞している状態では、ルーバー羽根は、付勢部材に付勢力されつつも付勢部材が規制されていることにより付勢されている方向に作動しない。そして、開口が開かれるときに、付勢部材の規制が解除されることにより、ルーバー羽根は付勢部材の付勢力により速やかに回動する。このため、開口が開かれるときには、規制が解除された付勢部材の付勢力が作用して、より速やかにパネル体の領域内を開放することが可能である。そして、複数のパネル体が折り畳まれて庇をなす際には、確実にパネル体の領域内を開放しておくことが可能である。
【００１２】
かかる折り畳み式パネルユニットであって、前記庇の状態から前記下部を降下させたときに前記複数のパネル体が展張された前記開口が閉じた状態で前記下部の降下を停止させるストッパーと、前記パネル体の前記下部を上下方向に移動させる駆動部と、前記駆動部の動力を前記下部に伝達する伝達部と、前記伝達部と前記下部とを繋ぐ中継部と、を備え、前記中継部は、前記伝達部と前記下部とを、上下方向における所定の範囲にて相対移動可能に中継しており、前記下部の降下が停止した後に、前記伝達部が前記中継部に対して下方に相対移動することにより、前記ルーバー羽根が回動し始め、前記伝達部が前記所定の範囲内を移動する間に前記ルーバー羽根が前記パネル体の領域内を閉塞することが望ましい。
【００１３】
このような折り畳み式パネルユニットによれば、下部をストッパーまで降下させることにより、複数のパネル体が展張された状態とすることが可能である。また、複数のパネル体が展張された状態とした後に伝達部を更に中継部に対して相対移動させてルーバー羽根によりパネル体の領域内を閉塞する際には、伝達部が上下方向において相対移動可能とした所定の範囲内を移動する間にルーバー羽根がパネル体の領域内を閉塞する。このため、伝達部が下部に対し相対移動可能な範囲を移動しているときにルーバー羽根がパネル体の領域内を閉塞する。すなわち、伝達部が相対移動可能な範囲を残した状態でルーバー羽根がパネル体の領域内を閉塞するので、ルーバー羽根の回動が途中で停止することなく、開口を確実に閉塞することが可能である。
【００１４】
かかる折り畳み式パネルユニットであって、前記複数のパネル体が展張された前記開口を閉じた状態にて、前記複数のパネル体の見込み方向における振れを防止する振れ防止部材を有していることが望ましい。
【００１５】
このような折り畳み式パネルユニットによれば、複数のパネル体が展張されて開口が閉じた状態にて、振れ防止部材により複数のパネル体の見込み方向における振れが防止されるので、開口を閉じた状態が維持されやすい折り畳み式パネルユニットを提供することが可能である。
【００１６】
かかる折り畳み式パネルユニットであって、前記パネル体は、前記動力にて前記ルーバー羽根を回動させるために前記動力を伝達する動力伝達機構を有し、前記開口を形成する枠体は、前記伝達部の昇降動作と連動し、前記ルーバー羽根の開放方向への回動を許容する回動許容位置と、前記ルーバー羽根の開放方向への移動を規制する回動規制位置とを移動する回動規制部を有し、前記下部の降下が停止したときに前記動力伝達機構の一部が、前記回動規制部が移動する軌道上に位置し、前記伝達部を更に降下させることにより、前記回動規制部が移動して前記動力伝達機構の一部に当接されて、前記ルーバー羽根の回動が規制されることが望ましい。
【００１７】
このような折り畳み式パネルユニットによれば、複数のパネル体の下部の降下が停止したときに、伝達部の昇降動作と連動して移動する回動規制部が移動する軌道上に位置する動力伝達機構の一部に、伝達部を更に降下させることにより回動規制部が当接する。このため、複数のパネル体が展張した状態とした後に、ルーバー羽根がパネル体の領域内を開放する方向への回動が規制されるので、下部を降下させるだけで、複数のパネル体を確実に展張させ、各ルーバー羽根がパネル体の領域内を開放する方向に回動しない状態とすることが可能である。
【００１８】
かかる折り畳み式パネルユニットであって、前記ルーバー羽根の開放角度を規制する角度規制部を有することが望ましい。
【００１９】
このような折り畳み式パネルユニットによれば、ルーバー羽根の開放角度を規制することが可能なので、複数のパネル体が展張している状態であっても、採光を得ることが可能である。
【発明の効果】
【００２０】
本発明によれば、風が吹いても騒音が発生しにくく、強風等によっても損傷しにくい折り畳み式パネルユニットを提供することが可能である。
【図面の簡単な説明】
【００２１】
【図１】本実施形態に係る折り畳み式パネルユニットを示す斜視図である。
【図２】本実施形態に係る折り畳み式パネルユニットを示す縦断面図である。
【図３】本実施形態に係る折り畳み式パネルユニットを示す横断面図である。
【図４】ルーバー羽根が開放された折り畳み式パネルユニットが展張されている状態を示す縦断面図である。
【図５】折り畳み式パネルユニットが折り畳まれた状態を示す縦断面図である。
【図６】ルーバー開閉機構を示す斜視図である。
【図７】図７（ａ）は、操作部材とリンク部とを示す平面図、図７（ｂ）は、ルーバー羽根が開いた状態の操作部材及びリンク部の状態を示す側面図、図７（ｃ）は、ルーバー羽根が閉じた状態の操作部材及びリンク部の状態を示す側面図である。
【図８】図８（ａ）は、ルーバー羽根を開閉するための機構部を示す平面図、図８（ｂ）は、ルーバー羽根を連動させる機構を示す側面図である。
【図９】折り畳み式パネルユニットの開閉機構及びルーバー開閉機構を示す斜視図である。
【図１０】図１０（ａ）は、駆動チェーンと下パネル体の下框との繋がりを示す平面図、図１０（ｂ）は、折り畳み式パネルユニット及びルーバー羽根が閉じる前の状態における揺動部材周辺を示す図、図１０（ｃ）は、図１０（ｂ）におけるＡ矢視図、図１０（ｄ）は、昇降スライダーがストッパーに当接された状態を示す図、図１０（ｅ）は、プッシャーにより揺動部材の一方の腕部が押し下げられた状態を示す図である。
【図１１】振れ防止部材の一例を示す図である。
【発明を実施するための形態】
【００２２】
以下、本発明の一実施形態に係る折り畳み式パネルユニットについて図面を参照して説明する。
【００２３】
本実施形態の折り畳み式パネルユニット１は、図１〜図５に示すように、上下に配置されヒンジ９を介して連結された２枚のパネル体１０、２０の上部をなす上パネル体１０の上框１１が、屋内外を連通する開口２の上部側に回動自在に支持されており、下部をなす下パネル体２０の下框２２が引き上げられて２枚のパネル体１０、２０が折り畳まれつつ屋外側に突出して庇をなす折り畳み式パネルユニット１である。この折り畳み式パネルユニット１は、開口２に設けられる辷り出し窓３の屋外側に矩形状に枠組みされた枠体５とともに設けられている。
【００２４】
以下の説明においては、開口２に設けられた状態の折り畳み式パネルユニット１において、上下となる方向を上下方向、左右となる方向を左右方向または見付け方向、屋内外方向である奥行き方向を見込み方向として示す。また、折り畳み式パネルユニット１等が備える各部材は、単体として説明する場合であっても、開口２に設けられた状態で上下方向、見付け方向、見込み方向等となる方向にて方向を特定して説明する。
【００２５】
枠体５は、下パネル体２０の下框２２を昇降するための駆動部が収容される上部ボックス５０と、開口２の下部を形成する下枠５６と、上部ボックス５０と下枠５６とを左右の両端部にて繋ぐ縦枠５７とが矩形状に枠組みされ、屋内側に設けられた辷り出し窓３の窓枠３ａに接合部材６を介して接合されている。上部ボックス５０内には、駆動部をなす、モーター５１及び見付け方向に沿って設けられモーター５１にて駆動される駆動シャフト５２が設けられている。
【００２６】
駆動シャフト５２の両端にはスプロケット（不図示）が設けられており、各々のスプロケットには伝達部としての駆動チェーン５３が掛けられている。駆動チェーン５３の一方の端には、縦枠５７に設けられたガイドレール５７ａに案内されて昇降する昇降スライダー５４及び下パネル体２０の下框２２と繋がる中継部としての中継プレート３８が固定されている。また、ガイドレール５７ａは、昇降スライダー５４とともに駆動チェーン５３も、その屈曲を規制しつつ案内する。
【００２７】
折り畳み式パネルユニット１は、上パネル体１０と、下パネル体２０と、上パネル体１０の下框１２及び下パネル体２０の上框２１とともにヒンジ９を構成する回動支持部材４と、を有している。上パネル体１０と下パネル体２０は、いずれも中空の角パイプ状をなす上框１１、２１及び下框１２、２２と、長手方向に連通する中空部を形成するように形成された左右の縦框１３、２３とが矩形状に框組みされた框体１４、２４と、框体１４、２４にて囲まれている領域内を開閉自在に設けられた複数のルーバー羽根１５と、を有している。ここで、上パネル体１０に設けられているルーバー羽根１５と下パネル体２０に設けられているルーバー羽根１５とは同一の部材である。
【００２８】
各ルーバー羽根１５の両端部にはそれぞれ、見つけ方向に突出させてリンク部１６が設けられており、リンク部１６は、ルーバー羽根１５の回動中心から見つけ方向に突出された回動軸１６ａと、回動軸１６ａの先端に設けられ回動軸１６ａと直交する方向に突出された軸連結部１６ｂと、回動軸１６ａと平行に設けられ軸連結部１６ｂに対して回動軸１６ａの反対側に突出された操作軸１６ｃとが一体に形成されている。
【００２９】
上パネル体１０の框体１４と下パネル体２０の框体２４とは、同一の部材が、それらの上下を反転させた状態にて用いられ、上パネル体１０の下框１２と下パネル体２０の上框２１とが回動支持部材４と共にヒンジ９を形成している。
【００３０】
また、上パネル体１０の上框１１と下パネル体２０の下框２２とは、長手方向、すなわち左右方向の幅が、框体１４、２４の幅より、短くなるように形成されている。上框１１と下框２２とには、各々上框１１及び下框２２と回動自在に設けられた上軸１１ａと下軸２２ａとが、上框１１及び下框２２の両端に設けられている。上軸１１ａは、端部が枠体５に固定された端部ブラケット７にボルト８により回動不能に支持されている。下軸２２ａは、縦枠５７に設けられたガイドレール５７ａに案内されて昇降する駆動チェーン５３の動力を下パネル体２０に伝達するための中継プレート３８を介して駆動チェーン５３と繋がっている。
【００３１】
上パネル体１０及び下パネル体２０の左右の縦框１３、２３内には、ルーバー羽根１５を回動させて框体１４、２４にて囲まれている領域内を開閉させるためのルーバー開閉機構３０が各々設けられている。
【００３２】
ルーバー開閉機構３０は、図６、図７に示すように、ルーバー羽根１５の上下方向の間隔に合わせて複数の内側スリット１３ｂ、２３ｂが設けられた、左右の縦框１３、２３において互いに対向する内壁部１３ａ、２３ａと、左右の縦框１３、２３内に収容されて上下に移動可能に設けられ内側スリット１３ｂ、２３ｂと同じピッチにて形成された外側スリット３１ａを有する操作部材３１と、ルーバー羽根１５の両端部に設けられて、縦框１３、２３内に挿入されたリンク部１６と、を有している。内側スリット１３ｂ、１３ｂと外側スリット３１ａとは、見込み方向に沿って水平方向に切り欠かれおり、屋内側の端が開放されている。
【００３３】
リンク部１６は、回動軸１６ａが内側スリット１３ｂ、２３ｂに挿入され、操作軸１６ｃが外側スリット３１ａに挿入された状態で、操作部材３１が上下に移動されることにより、操作軸１６ｃが外側スリット３１ａ内を移動しつつリンク部１６が回動軸１６ａを中心に回動することによりルーバー羽根１５が回動する。このとき、ルーバー羽根１５は操作部材３１が上方に移動するとルーバー面１５ａが上下方向に沿い、隣接するルーバー羽根１５同士が接触して各パネル体１０、２０内、すなわち框体１４、２４にて囲まれている領域内を閉塞する閉塞状態となり、操作部材３１が下方に移動するとルーバー面１５ａがより水平に近づいて、隣接するルーバー羽根１５との間が空隙をなし框体１４、２４にて囲まれている領域内を開放する開放状態となる。
【００３４】
ルーバー開閉機構３０を移動させるための動力源は、下パネル体２０の下框２２を昇降するモーター５１であり、モーター５１の動力を、駆動チェーン５３から操作部材３１に伝達する動力伝達機構が、上パネル体１０及び下パネル体２０の左右の縦框１３、２３内に設けられている。
【００３５】
動力伝達機構は、図８、図９に示すように、縦框１３、２３内にて操作部材３１と係合し操作部材３１とともに上下方向に移動する連動部材３３と、縦框１３、２３外にて屋内側に設けられ縦框１３、２３内に挿入される係止部３４ａが連動部材３３に係止されて操作部材３１とともに上下方向に移動するトリガー部材３４と、を有している。また、連動部材３３の上には、ルーバー羽根１５が閉塞状態のときに当該連動部材３３を下方、すなわち、框体１４、２４にて囲まれている領域内を開放する方向に付勢する付勢部材としての圧縮バネ３５が設けられている。そして、ルーバー羽根１５が開放状態のときには連動部材３３は、圧縮バネ３５に付勢されず移動可能な範囲の最下位置に位置してルーバー羽根１５は框体１４、２４にて囲まれている領域内を開放している。
【００３６】
トリガー部材３４は、縦框１３、２３の屋内側に突出す突出部３４ｂを有しており、モーター５１からの動力が枠体５側から伝達されて突出部３４ｂを移動させることによりルーバー羽根１５が開閉するように構成されている。ルーバー羽根１５の開閉動作については後述する。
【００３７】
駆動チェーン５３の動力を下パネル体２０に伝達するための中継プレート３８は、図９に示すように、駆動チェーン５３の最も下に位置するリンク５３ａの下側のピン５３ｂを貫通するビス３６にて、リンク５３ａと繋がっている。このとき、リンク５３ａと中継プレート３８との間には、後述する揺動部材４１を押圧するプッシャー３７が介在されている。
【００３８】
ビス３６は、プッシャー３７に設けられた丸穴３７ａを貫通し、中継プレート３８の縦方向に長い長穴３８ａを貫通してナット３６ａにて固定されている。このため、駆動チェーン５３とプッシャー３７とは一体となって昇降する。
【００３９】
中継プレート３８には長穴３８ａの下に丸穴３８ｂが設けられており、プッシャー３７の丸穴３７ａの下に設けられ上下方向に長い長穴３７ｂを貫通するピン３９にて、駆動チェーン５３の下方に位置する昇降スライダー５４が固定されている。このため、中継プレート３８と昇降スライダー５４とは一体となって昇降する。そして、中継プレート３８とプッシャー３７は、長穴３８ａと長穴３７ｂとにより規制される範囲内で上下方向に相対移動可能に設けられている。
【００４０】
駆動チェーン５３に中継プレート３８を介して下パネル体２０の下框２２が繋がって吊り下げられた状態では、自重により中継プレート３８の長穴３８ａの上端側にビス３６が位置し、プッシャー３７の長穴３７ｂの下端側にピン３９が位置している。すなわち、中継プレート３８と一体となって昇降する昇降スライダー５４が最も下がった位置に位置している。
【００４１】
枠体５のガイドレール５７ａの下端には、昇降スライダー５４が降下した際に突き当たるストッパー５８が設けられており、下パネル体２０の下框２２が降下し駆動チェーン５３とともに移動していた昇降スライダー５４がストッパー５８に当接して降下が停止する。このとき、昇降スライダー５４と中継プレート３８は停止するが、駆動チェーン５３とプッシャー３７は、長穴３７ｂと長穴３８ａの範囲で降下し続ける。そして、ピン３９が長穴３７ｂの上端、または、ビス３６が長穴３８ａの下端のいずれかに当接する前に揺動部材４１の一方の腕部４１ａを最も押し下げるように構成されている。すなわち、下框２２の降下が停止した後に、駆動チェーン５３が中継プレート３８に対して下方に相対移動することにより、駆動チェーン５３と一体となったプッシャー３７が長穴３７ｂ、３８ａにより設定された所定の範囲内を移動する間に揺動部材４１の一方の腕部４１ａを最も押し下げるように構成されている。
【００４２】
下枠５６には、図１０に示すように、降下したプッシャー３７に押圧されて、シーソー状に揺動する、２本の腕部４１ａ、４１ｂを有する揺動部材４１が設けられている。
【００４３】
揺動部材４１は、見込み方向に沿う軸４２を中心に２本の腕部４１ａ、４１ｂがシーソー状に揺動可能に設けられている。揺動部材４１の一方の腕部４１ａの上方にはプッシャー３７が位置しており、降下したプッシャー３７により一方の腕部４１ａが下がるように揺動部材４１が揺動するように構成されている。また、揺動部材４１の他方の腕部４１ｂには、プッシャー３７が繋がれている駆動チェーン５３と見付け方向にて対向しつつ揺動部材４１により上下方向に移動可能な連動棒４３が設けられている。連動棒４３は、下端が揺動部材４１の他方の腕部４１ｂ上に当接されており、降下したプッシャー３７により一方の腕部４１ａが下がるように揺動部材４１が揺動されると、揺動部材４１の他方の腕部４１ｂにより上方に押し上げられるように構成されている。
【００４４】
連動棒４３は、縦框１３、２３と見込み方向に対向する位置に設けられており、連動棒４３には、上パネル体１０と下パネル体２０とが展張された際に、縦框１３、２３に設けられて屋内側に突出しているトリガー部材３４の突出部３４ｂの下方に配置されている。このため、連動棒４３が上方に移動されることにより、圧縮バネ３５の付勢力に抗してトリガー部材３４が押し上げられ、ルーバー羽根１５が開放状態から閉塞状態となる。
【００４５】
このように構成された折り畳み式パネルユニット１は、下パネル体２０の下框２２がモーター５１により降下され上パネル体１０と下パネル体２０とが展張されるとトリガー部材３４が屋内側に突出した状態となる。プッシャー３７が更に降下されて揺動部材４１の一方の腕部４１ａを押し下げて他方の腕部４１ｂが押し上げられると連動棒４３が上方に移動され、連動棒４３に設けられている回動規制部としての操作片４４が、圧縮バネ３５の付勢力に抗してトリガー部材３４の突出部３４ｂを押し上げることにより、操作部材３１が上方に移動してルーバー面１５ａがより上下方向に沿うようにルーバー羽根１５が回動して図２に示すように框体１４、２４にて囲まれている領域内を閉塞する閉塞状態となる。
【００４６】
また、上パネル体１０と下パネル体２０とが展張されるとともに框体１４、２４にて囲まれている領域内が閉塞された状態からモーター５１が駆動され下パネル体２０の下框２２が引き上げられると、まず、プッシャー３７が引き上げられ、プッシャー３７により揺動部材４１の一方の腕部４１ａを押し下げていた押圧力が低下する。このとき、揺動部材４１の他方の腕部４１ｂには、連動棒４３に操作部材３１を下方に付勢する圧縮バネ３５の付勢力がトリガー部材３４及び操作片４４を介して作用しているので、一方の腕部４１ａを押し下げていた押圧力の低下にともなって他方の腕部４１ｂが下方に押し下げられていく。そして、他方の腕部４１ｂが下方に押し下げられるときに、連動棒４３及び操作片４４とともにトリガー部材３４及び操作部材３１が下方に移動することによりルーバー羽根１５が回動して、図４に示すように、框体１４、２４にて囲まれている領域内に空隙が生じ開放された状態となる。このとき、連動棒４３及び操作片４４よりトリガー部材３４及び操作部材３１とともに規制されていた圧縮バネ３５の規制が解除されることにより圧縮バネ３５の付勢力が作用して、より速やかにルーバーが回動する。
【００４７】
その後、下パネル体２０の下框２２が引き上げられて、上パネル体１０と下パネル体２０とが連結されているヒンジ９が屋外側に移動しつつ折り畳まれて図５に示すような庇を構成する。このとき、上パネル体１０と下パネル体２０とのルーバー羽根１５は框体１４、２４にて囲まれている領域内が開放された状態が維持されている。
【００４８】
ここで、本実施形態においては、操作片４４が押し上げられた位置が回動規制位置に相当し、操作片４４が押し下げられた位置が回動許容位置に相当し、回動規制位置と回動許容位置との間が操作片４４の軌道に相当する。また、トリガー部材３４の突出部３４ｂが、下パネル体２０の下部としての下框２２が降下して停止したときに屋内側に突出する、動力伝達機構の一部に相当する。
【００４９】
折り畳み式パネルユニット１は、上パネル体１０と下パネル体２０とが展張された状態にて、上パネル体１０と下パネル体２０とが見込み方向に振れることを防止する振れ防止部材４５が設けられている。振れ防止部材４５は、図１１に示すように、各縦框１３、２３内に設けられており、縦框１３、２３の縦枠５７と対向する壁部１３ｄ、２３ｄに設けられた角穴１３ｅ、２３ｅからブロック状のゴムでなる保持部材４６が突出して縦枠５７を押圧することにより、上パネル体１０及び下パネル体２０の見込み方向における振れが防止される。具体的には、縦框１３、２３の縦枠５７と対向する壁部１３ｄ、２３ｄの内面に角穴１３ｅ、２３ｅの下側に、一端が固定された板バネ４７が設けられており、板バネ４７は、固定された一端側から他端側に向かって縦框１３、２３との間隔が広がるように傾斜している。板バネ４７の他端には、角穴１３ｅ、２３ｅ側に向かって保持部材４６が設けられており、上パネル体１０と下パネル体２０とが展張されていないときには、保持部材４６が角穴１３ｅ、２３ｅから突出しないように構成されている。そして、上パネル体１０と下パネル体２０とが展張されたときに、縦框１３、２３内にて上方に移動する連動部材３３により、板バネ４７が縦枠５７側に押圧されて保持部材４６が角穴１３ｅ、２３ｅから突出し、保持部材４６が縦枠５７を押圧するように構成されている。
【００５０】
本実施形態の折り畳み式パネルユニット１によれば、上パネル体１０と下パネル体２０とが折り畳まれ屋外側に突出して庇をなす際には、ルーバー羽根１５が框体１４、２４にて囲まれている領域内を開放しているので、風が吹いてもルーバー羽根１５同士は接触し難い。また、強風が吹いた場合であっても、框体１４、２４にて囲まれている領域内を開放しているルーバー羽根１５間を風が抜けていくので、折り畳まれたパネル体１０、２０は煽られ難い。このため、風が吹いても騒音が発生しにくく、強風等によっても損傷しにくい折り畳み式パネルユニット１を提供することが可能である。
【００５１】
また、２枚のパネル体１０、２０の下部をなす下パネル体２０の下框２２が、押し下げられて開口２を閉じている状態では、ルーバー羽根１５が上パネル体１０及び下パネル体２０の領域内を閉塞しているので、屋外からの視界をさえぎるとともに、防犯性及び断熱性を備えることが可能である。
【００５２】
また、各パネル体１４、２４の領域内を閉塞している状態では、ルーバー羽根１５は、圧縮バネ３５に付勢力されつつも圧縮バネ３５が規制されていることにより付勢されている方向に作動しない。そして、下パネル体２０の下框２２が引き上げられて折り畳まれるときに、圧縮バネ３５の規制が解除されることにより、ルーバー羽根１５は圧縮バネ３５の付勢力により速やかに開放される。このため、折り畳まれて庇をなす際には、確実にルーバー羽根１５が框体１４、２４にて囲まれている領域内を開放しておくことが可能である。
【００５３】
また、下パネル体２０の下框２２をストッパー５８まで降下させることにより、上パネル体１０と下パネル体２０とが展張された状態とすることが可能であり、上パネル体１０と下パネル体２０とを展張された状態とした後にモーター５１を更に駆動してプッシャー３７を中継プレート３８に対して相対移動させてルーバー羽根１５を回動させることが可能である。そして、ルーバー羽根１５を回動して框体１４、２４にて囲まれている領域内を閉塞する際には、ピン３９が長穴３７ｂの上端、または、ビス３６が長穴３８ａの下端のいずれかに当接する前に揺動部材４１の一方の腕部４１ａを最も押し下げることで、ルーバー羽根１５を回動して框体１４、２４にて囲まれている領域内が閉塞状態となる。このため、ルーバー羽根１５にて回動して框体１４、２４にて囲まれている領域内を確実に閉塞することが可能である。すなわち、開口２にて上パネル体１０と下パネル体２０とを確実に展張し、框体１４、２４にて囲まれている領域内を確実に閉塞することが可能である。
【００５４】
また、上パネル体１０と下パネル体２０が展張された状態にて、振れ防止部材４５により上パネル体１０と下パネル体２０とが見込み方向に移動することが規制されるので、開口２を閉じた状態が維持されやすい折り畳み式パネルユニット１を提供することが可能である。
【００５５】
また、下パネル体２０の下框２２の降下が停止したときに、駆動チェーン５３の昇降動作と連動して移動する操作片４４が移動する軌道上に突出部３４ｂが位置するトリガー部材３４に、駆動チェーン５３を更に降下させることにより操作片４４が当接する。このため、上パネル体１０と下パネル体２０とが展張した状態とした後に、ルーバー羽根１５が框体１４、２４にて囲まれている領域内を開放する方向への回動を規制するので、下パネル体２０の下框２２を降下させるだけで、上パネル体１０と下パネル体２０とを確実に展張し、各ルーバー羽根１５が框体１４、２４にて囲まれている領域内を開放する方向に回動しない状態とすることが可能である。
【００５６】
上記実施形態においては、ルーバー羽根１５の動作を閉塞状態と開放状態とのいずれかとしたが、これに限らず、たとえば、下パネル体２０の下框２２の降下が停止した後にプッシャー３７を降下させる距離を調節、あるいは、連動棒４３に対する操作片４４の位置を調節することにより、ルーバー羽根１５を任意の角度にて停止させることが可能である。この場合には、上パネル体１０と下パネル体２０とを展張した状態であっても、採光を得ることが可能である。すなわち、本実施形態では、プッシャー３７及び操作片４４等がルーバー羽根１５の開放角度を規制する角度規制部になり得る。
【００５７】
上記実施形態においては、枠体５を折り畳み式パネルユニット１と別体として説明したが、枠体５を含めて折り畳み式パネルユニット１としても構わない。また、折り畳み式パネルユニットが屋内側に設けられている建具と一体であっても構わない。
【００５８】
また、上記実施形態においては、折り畳み式パネルユニット１が辷り出し窓３と共に設けられている例について説明したが、これに限らず、例えば、引き違い窓等と共に設けられていてもよい。
【００５９】
上記実施形態においては、２枚のパネル体１０、２０がヒンジ９により連結されている例について説明したが、パネル体の数は、３枚以上であっても折り畳まれて庇をなす構造であれば構わない。
【００６０】
上記実施形態においては、連動部材３３の上に設けられた圧縮バネ３５は、ルーバー羽根１５が開放状態のときには付勢しない例について説明したが、ルーバー羽根１５が開放状態のときにも、框体１４、２４にて囲まれている領域内を開放する方向に付勢されていてもよい。
【００６１】
上記実施形態においては、２枚のパネル体１０、２０の上部を上パネル体１０の上框１１及び上軸１１ａとし、複数のパネル体の下部を下パネル体２０の下框２２及び下軸２２ａとして説明したが、これに限るものではない。例えば、複数のパネル体の上部を上パネル体１０の縦框１３の上端側など上パネル体１０の上部側の部位とし、複数のパネル体の下部を下パネル体２０の縦框２３の下端側など下パネル体２０の下部側の部位としてもよい。
【００６２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６３】
１  パネルユニット、２  開口、５  枠体、９  ヒンジ、１０  上パネル体、
１１  上框、１２  下框、１５  ルーバー羽根、２０  下パネル体、２１  上框、
２２  下框、３０  ルーバー開閉機構、３１  操作部材、３３  連動部材、
３４  トリガー部材、３４ｂ  突出部、３５  圧縮バネ、３７  プッシャー、
３８  中継プレート、４４  操作片、４５  振れ防止部材、５１  モーター、
５３  駆動チェーン、５８  ストッパー
【図１】
2014051841.tif 000003
【図２】
2014051841.tif 000004
【図３】
2014051841.tif 000005
【図４】
2014051841.tif 000006
【図５】
2014051841.tif 000007
【図６】
2014051841.tif 000008
【図７】
2014051841.tif 000009
【図８】
2014051841.tif 000010
【図９】
2014051841.tif 000011
【図１０】
2014051841.tif 000012
【図１１】
2014051841.tif 000013